【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
ブラウザ端末から検索キーワードが入力される過程でキー入力される文字情報を受信し、当該文字情報をかな漢字変換した変換語を抽出する日本語変換手段と
前記変換語のリストを作成し、ブラウザ端末に送付する変換語リスト送付手段と、
前記変換語のリストを送付した前記ブラウザ端末から前記変換語のリスト中の一つの変換語を選択した旨の情報が送付されてきた場合に、当該選択された変換語を、検索キーワード候補と広告コンテンツが対応付けて記憶されている広告データベースに照会して、当該変換語に該当する前記検索キーワード候補と対応付けされた前記広告コンテンツを取得する広告コンテンツ取得手段と、
前記取得した広告コンテンツを前記ブラウザ端末に送信する広告コンテンツ送信手段と、
を備えたことを特徴とする広告コンテンツ送信システム。
【請求項２】
ブラウザ端末から送付されてきた検索キーワードをレコードデータベースに照会して該当するレコードを当該ブラウザ端末に返送するレコード検索手段と、
前記レコード検索手段による前記レコードデータベースへの検索キーワード照会履歴を記憶するキーワード記憶手段と、
前記検索キーワード照会履歴に基づいて、検索時の複数の検索キーワードを相互に関連語として対応付けするともに、一組の関連語ごとに検索された頻度を対応付けして関連語データベースに記憶する関連語記憶手段と、
ブラウザ端末から検索キーワードが入力される過程でキー入力される文字情報を受信し、当該文字情報をかな漢字変換した変換語を抽出する日本語変換手段と
前記変換語のリストを作成し、ブラウザ端末に送付する変換語リスト送付手段と、
前記ブラウザ端末から前記変換語のリスト中の一つの変換語が選択された旨の情報が送付されてきた場合に、当該変換語を前記関連語データベースに照会して、前記変換語に対応する関連語を抽出する関連語抽出手段と、
前記抽出した関連語のリストを作成して、前記ブラウザ端末に送付する関連語リスト送付手段と、
前記関連語リストを送付した前記ブラウザ端末から関連語を選択した旨の情報が送付されてくると、前記選択された変換語と当該選択された関連語とを、検索キーワード候補と広告コンテンツが対応付けて記憶されている広告データベースに照会して、当該変換語と当該関連語に該当する前記検索キーワード候補と対応付けされた、前記広告コンテンツを取得する広告コンテンツ取得手段と、
前記取得した広告コンテンツを前記ブラウザ端末に送信する広告コンテンツ送信手段と、
を備えたことを特徴とする広告コンテンツ送信システム。
【請求項３】
請求項１において、
所定のＵＲＬを指定してアクセスしてきたブラウザ端末に、検索キーワードの入力欄と当該ブラウザ端末にて検索指示があると前記検索キーワード入力欄に入力されている検
索キーワードを送出する機能と、当該ブラウザ端末にて解釈実行される制御プログラムと
を含んだ検索窓口ページを送付する検索窓口ページ送付手段を備え、
前記制御プロラムは、
前記ブラウザ端末にて前記検索キーワード入力欄への文字入力があると当該文字入力の
過程における前記キー入力情報を前記日本語変換手段へ逐一送付させる機能と、
前記日本語変換手段から送付されてきたかな文字を前記キーワード入力欄に入力する機
能と、
前記ブラウザ端末にて変換指示に対応する所定のキー入力があると、前記キーワード入
力欄に入力されているかな文字を前記日本語変換手段に送付させる機能と、
前記日本語変換手段から送付されてきた前記変換語リストを表示するとともに、当該リスト中の変換語を選択可能にする機能と、
前記ブラウザ端末にて前記送付されてきた変換語リストから一つの変換語が選択される
と、当該変換語の選択情報を前記広告コンテンツ送信手段へ送信する機能と、
前記広告コンテンツ提示手段から送信されてきた広告コンテンツを表示する機能と、
前記ブラウザ端末にて前記送付されてきた変換語リストから一つの変換語が選択された
状態で確定指示があると、当該変換語を前記キーワード入力欄に入力する機能と、
を含んでいることを特徴とする広告コンテンツ送信システム。
【請求項４】
請求項２において、
所定のＵＲＬを指定してアクセスしてきたブラウザ端末に、検索キーワードの入力欄と、当該ブラウザ端末にて検索指示があると前記検索キーワード入力欄に入力されている検索キーワードを送出する機能と、当該ブラウザ端末にて解釈実行される制御プログラムとを含んだ検索窓口ページを送付する検索窓口ページ送付手段を備え、
前記制御プロラムは、
前記ブラウザ端末にて前記検索キーワード入力欄への文字入力があると当該文字入力の
過程における前記キー入力情報を前記日本語変換手段へ逐一送付させる機能と、
前記日本語変換手段から送付されてきたかな文字を前記キーワード入力欄に入力する
機能と、
前記ブラウザ端末にて変換指示に対応する所定のキー入力があると、前記キーワード入
力欄に入力されているかな文字を前記日本語変換手段に送付させる機能と、
前記日本語変換手段から返送されてきた変換語リストを表示するとともに、当該リスト
中の変換語を選択可能にする機能と、
前記ブラウザ端末にて前記返送されてきた変換語リストから一つの変換語が選択される
と、当該変換語の選択情報を前記関連語抽出手段へ送付する機能と、
前記ブラウザ端末にて前記返送されてきた関連語リストから一つの関連語を選択される
と、当該関連語の選択情報を前記広告コンテンツ送信手段に送付する機能と、
前記広告コンテンツ送信手段から返送されてきた広告コンテンツを表示する機能と、
前記ブラウザ端末にて前記変換語リストにある一つの変換語を選択しながら前記関連語
リストから一つの関連語が選択されて確定指示があると、当該選択されている変換語と当
該確定指示された関連語とを前記キーワード入力欄に入力する機能と、
を含んでいることを特徴とする広告コンテンツ送信システム。
【請求項５】
請求項２または４において、前記広告コンテンツ送信手段は、前記変換語を送付した前記ブラウザ端末にて変換語を選択した旨の情報が送付されてきた場合に、当該選択された変換語を、検索キーワード候補と広告コンテンツが対応付けて記憶されている広告データベースに照会して、当該変換語に該当する前記検索キーワード候補と対応付けされた、前記広告コンテンツを取得し、当該広告コンテンツを前記ブラウザ端末に送信することを特徴とする広告コンテンツ送信システム。
【請求項６】
ネットワークに接続されたサーバーコンピュータが、
ブラウザ端末から検索キーワードが入力される過程でキー入力された文字情報を受信し、当該文字情報をかな漢字変換した変換語を抽出するステップと、
前記変換語のリストを作成し、ブラウザ端末に送付するステップと、
前記変換語を送付した前記ブラウザ端末にて変換語を選択した旨の情報が送付されてきた場合に、当該選択された変換語を、検索キーワード候補と広告コンテンツが対応付けて記憶されている広告データベースに照会して、当該変換語に該当する前記検索キーワード候補と対応付けされた、前記広告コンテンツを取得するステップと、
前記取得した広告コンテンツを前記ブラウザ端末に送信するステップと、
を実行することを特徴とする広告コンテンツ送信方法。
【請求項７】
ネットワークに接続されたサーバーコンピュータが、
ブラウザ端末から送付されてきた検索キーワードをレコードデータベースに照会して該当するレコードを当該ブラウザ端末に返送するステップと、
前記レコード検索手段による前記レコードデータベースへの検索キーワード照会履歴を記憶するステップと、
前記検索キーワード履歴に基づいて、検索時の複数の検索キーワードを相互に関連語として対応付けするともに、一組の関連語ごとに検索された頻度を対応付けして関連語データベースに記憶するステップと、
ブラウザ端末から検索キーワードが入力される過程で前記ブラウザ端末からキー入力された文字情報を受信し、当該文字情報をかな漢字変換した変換語を抽出するステップと、
前記変換語のリストを作成し、前記ブラウザ端末に送付するステップと、
前記ブラウザ端末から前記変換語リスト中の一つの変換語が選択された旨の情報が送付
されてきた場合に、当該変換語を前記関連語データベースに照会して、前記変換語に対応する関連語を抽出するステップと、
前記抽出した関連語のリストを作成して、前記ブラウザ端末に送付するステップと、
前記関連語リストを送付した前記ブラウザ端末から関連語を選択した旨の情報が送付されてくると、前記選択された変換語と当該選択された関連語とを、検索キーワード候補と広告コンテンツが対応付けて記憶されている広告データベースに照会して、当該変換語と当該関連語に該当する前記検索キーワード候補と対応付けされた、広告コンテンツを取得するステップと、
前記取得した広告コンテンツを前記ブラウザ端末に送信するステップと、
を実行することを特徴とする広告コンテンツ送信方法。
【手続補正２】
【補正対象書類名】明細書
【補正対象項目名】発明の名称
【補正方法】変更
【補正の内容】
【発明の名称】広告コンテンツ送信システム、広告コンテンツ送信方法
【手続補正３】
【補正対象書類名】明細書
【補正対象項目名】０００７
【補正方法】変更
【補正の内容】
【０００７】
本発明は、上記課題に鑑みなされたもので、その目的は、インターネット上の情報を取得するための窓口となる検索サイトにおいて、そのサイト上に掲載される広告コンテンツも情報検索のための窓口として活用するとともに、従来の検索サイトを利用した情報検索手順により発生する処理時間や通信トラフィックを低減し、利用者に快適で確実な情報検索環境を提供する広告コンテンツ送信システムを実現することにある。
【手続補正４】
【補正対象書類名】明細書
【補正対象項目名】０００８
【補正方法】変更
【補正の内容】
【０００８】
上記目的を達成するための本発明のうち第１の発明は、
ブラウザ端末から検索キーワードが入力される過程でキー入力される文字情報を受信し、当該文字情報をかな漢字変換した変換語を抽出する日本語変換手段と
前記変換語のリストを作成し、ブラウザ端末に送付する変換語リスト送付手段と、
前記変換語のリストを送付した前記ブラウザ端末から前記変換語のリスト中の一つの変換語を選択した旨の情報が送付されてきた場合に、当該選択された変換語を、検索キーワード候補と広告コンテンツが対応付けて記憶されている広告データベースに照会して、当該変換語に該当する前記検索キーワード候補と対応付けされた前記広告コンテンツを取得する広告コンテンツ取得手段と、
前記取得した広告コンテンツを前記ブラウザ端末に送信する広告コンテンツ送信手段と、
を備えた広告コンテンツ送信システムとした。
【手続補正５】
【補正対象書類名】明細書
【補正対象項目名】０００９
【補正方法】変更
【補正の内容】
【０００９】
また、ブラウザ端末から送付されてきた検索キーワードをレコードデータベースに照会して該当するレコードを当該ブラウザ端末に返送するレコード検索手段と、
前記レコード検索手段による前記レコードデータベースへの検索キーワード照会履歴を記憶するキーワード記憶手段と、
前記検索キーワード照会履歴に基づいて、検索時の複数の検索キーワードを相互に関連語として対応付けするともに、一組の関連語ごとに検索された頻度を対応付けして関連語データベースに記憶する関連語記憶手段と、
ブラウザ端末から検索キーワードが入力される過程でキー入力される文字情報を受信し、当該文字情報をかな漢字変換した変換語を抽出する日本語変換手段と
前記変換語のリストを作成し、ブラウザ端末に送付する変換語リスト送付手段と、
前記ブラウザ端末から前記変換語のリスト中の一つの変換語が選択された旨の情報が送付されてきた場合に、当該変換語を前記関連語データベースに照会して、前記変換語に対応する関連語を抽出する関連語抽出手段と、
前記抽出した関連語のリストを作成して、前記ブラウザ端末に送付する関連語リスト送付手段と、
前記関連語リストを送付した前記ブラウザ端末から関連語を選択した旨の情報が送付されてくると、前記選択された変換語と当該選択された関連語とを、検索キーワード候補と広告コンテンツが対応付けて記憶されている広告データベースに照会して、当該変換語と当該関連語に該当する前記検索キーワード候補と対応付けされた、前記広告コンテンツを取得する広告コンテンツ取得手段と、
前記取得した広告コンテンツを前記ブラウザ端末に送信する広告コンテンツ送信手段と、
を備えた広告コンテンツ送信システムを第２の発明とした。
【手続補正６】
【補正対象書類名】明細書
【補正対象項目名】００１０
【補正方法】変更
【補正の内容】
【００１０】
第３の発明は、第１の発明において、所定のＵＲＬを指定してアクセスしてきたブラウザ端末に、検索キーワードの入力欄と当該ブラウザ端末にて検索指示があると前記検索キーワード入力欄に入力されている検
索キーワードを送出する機能と、当該ブラウザ端末にて解釈実行される制御プログラムと
を含んだ検索窓口ページを送付する検索窓口ページ送付手段を備え、
前記制御プロラムは、
前記ブラウザ端末にて前記検索キーワード入力欄への文字入力があると当該文字入力の
過程における前記キー入力情報を前記日本語変換手段へ逐一送付させる機能と、
前記日本語変換手段から送付されてきたかな文字を前記キーワード入力欄に入力する機
能と、
前記ブラウザ端末にて変換指示に対応する所定のキー入力があると、前記キーワード入
力欄に入力されているかな文字を前記日本語変換手段に送付させる機能と、
前記日本語変換手段から送付されてきた前記変換語リストを表示するとともに、当該リスト中の変換語を選択可能にする機能と、
前記ブラウザ端末にて前記送付されてきた変換語リストから一つの変換語が選択される
と、当該変換語の選択情報を前記広告コンテンツ送信手段へ送信する機能と、
前記広告コンテンツ提示手段から送信されてきた広告コンテンツを表示する機能と、
前記ブラウザ端末にて前記送付されてきた変換語リストから一つの変換語が選択された
状態で確定指示があると、当該変換語を前記キーワード入力欄に入力する機能と、
を含んでいる広告コンテンツ送信システムとしている。
【手続補正７】
【補正対象書類名】明細書
【補正対象項目名】００１１
【補正方法】変更
【補正の内容】
【００１１】
第４の発明は、第２の発明において、所定のＵＲＬを指定してアクセスしてきたブラウザ端末に、検索キーワードの入力欄と、当該ブラウザ端末にて検索指示があると前記検索キーワード入力欄に入力されている検索キーワードを送出する機能と、当該ブラウザ端末にて解釈実行される制御プログラムとを含んだ検索窓口ページを送付する検索窓口ページ送付手段を備え、
前記制御プロラムは、
前記ブラウザ端末にて前記検索キーワード入力欄への文字入力があると当該文字入力の
過程における前記キー入力情報を前記日本語変換手段へ逐一送付させる機能と、
前記日本語変換手段から送付されてきたかな文字を前記キーワード入力欄に入力する
機能と、
前記ブラウザ端末にて変換指示に対応する所定のキー入力があると、前記キーワード入
力欄に入力されているかな文字を前記日本語変換手段に送付させる機能と、
前記日本語変換手段から返送されてきた変換語リストを表示するとともに、当該リスト
中の変換語を選択可能にする機能と、
前記ブラウザ端末にて前記返送されてきた変換語リストから一つの変換語が選択される
と、当該変換語の選択情報を前記関連語抽出手段へ送付する機能と、
前記ブラウザ端末にて前記返送されてきた関連語リストから一つの関連語を選択される
と、当該関連語の選択情報を前記広告コンテンツ送信手段に送付する機能と、
前記広告コンテンツ送信手段から返送されてきた広告コンテンツを表示する機能と、
前記ブラウザ端末にて前記変換語リストにある一つの変換語を選択しながら前記関連語
リストから一つの関連語が選択されて確定指示があると、当該選択されている変換語と当
該確定指示された関連語とを前記キーワード入力欄に入力する機能と、
を含んでいる広告コンテンツ送信システムとした。
【手続補正８】
【補正対象書類名】明細書
【補正対象項目名】００１２
【補正方法】変更
【補正の内容】
【００１２】
また、第２または第４の発明において、前記広告コンテンツ提示手段は、前記ブラウザ端末から前記変換語リスト中の一つの変換語が選択された旨の情報が送付されてくると、当該変換語を前記広告データベースに照会して対応する広告コンテンツを取得し、当該広告コンテンツを前記ブラウザ端末に返送する広告コンテンツ送信システムを第５の発明とした。
【手続補正９】
【補正対象書類名】明細書
【補正対象項目名】００１３
【補正方法】変更
【補正の内容】
【００１３】
また、第１及び第２の発明に対応するコンテンツ送信方法を第６及び第７の発明とした。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明の広告コンテンツ送信システム及び方法によれば、利用者が検索サイトを利用して情報検索をしている過程で広告コンテンツが利用者に提示される。それによって、検索サイトに検索キーワードを送付して検索結果が返ってくるまでの処理や時間を無くし、利用者が興味を持つ可能性が高い広告コンテンツがより多く提示される。それによって、検索処理を経ずに利用者を目的とする情報源へ導くことができる。広告主にとっては、自身の広告コンテンツが利用者の目に晒される機会が多くなり、大きな宣伝効果が期待できる。